(57)【要約】【課題】  芳香性粒子からの芳香発生が無駄なく、かつ、良好に行われる芳香発生具を提供する。【解決手段】  下端に芳香性粒子Ｒの落下口３を備えその他の部分を密封構成とする芳香性粒子Ｒの収納体５と、落下口３に相対する上方開口７を備えるとともに周壁６に芳香排出口９を備え、かつ、その下端に小形となった芳香性粒子Ｒの排出口１１を備える芳香性粒子Ｒの保持体１３と、保持体１３を内部に納め、排出口１１からの小形となった芳香性粒子Ｒを受け、かつ、周壁１６に芳香排出口１５を備えた芳香性粒子Ｒの受け体１７とからなる芳香発生具。【選択図】図２
2012085993.tif 000002
【特許請求の範囲】
【請求項１】
下端に芳香性粒子の落下口を備えその他の部分を密封構成とする前記芳香性粒子の収納体と、
前記落下口に相対する上方開口を備えるとともに周壁に芳香排出口を備え、かつ、その下端に小形となった前記芳香性粒子の排出口を備える前記芳香性粒子の保持体と、
前記保持体を内部に納め、前記排出口からの前記小形となった前記芳香性粒子を受け、かつ、周壁に芳香排出口を備えた前記芳香性粒子の受け体と、
からなることを特徴とする芳香発生具。
【請求項２】
前記上方開口の周縁部と前記落下口の周縁部との間に配置される前記芳香性粒子の位置決め体を備えることを特徴とする請求項１記載の芳香発生具。
【請求項３】
前記受け体に、前記芳香性粒子の排出口内中央にその周囲に排出隙間を残すように下方から突出して位置する突出部を備える請求項１記載の芳香発生具。
【請求項４】
前記受け体の前記芳香排出口が、前記周壁の下端より所定高さ以上の位置に設けられてなる請求項１記載の芳香発生具。
【発明の詳細な説明】
【技術分野】
【０００１】  この発明は、芳香源として芳香性粒子を使用する芳香発生具に関する。
【背景技術】
【０００２】  最近では、芳香源として芳香性粒子を使用する芳香発生具が提供されている。このような芳香発生具は、芳香排出口を持つ容器内に多数の芳香性粒子を納め、その粒子から発生する芳香が芳香排出口から外部空間に送り出されるようになっている。
【発明の概要】
【発明が解決しようとする課題】
【０００３】  上記のような芳香性粒子を使用する芳香発生具の場合、納められた芳香性粒子の全体が外部空気にさらされてその全体から芳香が発生するので、使用当初から必要以上の多量の芳香が発生して芳香性粒子の芳香成分が無駄に消耗され、一定量の芳香発生が継続して行われにくい問題がある。【０００４】  この発明は上記の事情に鑑みて行ったもので、芳香性粒子からの芳香発生が無駄なく、かつ、継続して良好に行われる芳香発生具を提供することを目的とする。
【課題を解決するための手段】
【０００５】  この発明では、下端に芳香性粒子の落下口を備えその他の部分を密封構成とする前記芳香性粒子の収納体と、前記落下口に相対する上方開口を備えるとともに周壁に芳香排出口を備え、かつ、その下端に小形となった前記芳香性粒子の排出口を備える前記芳香性粒子の保持体と、前記保持体を内部に納め、前記排出口からの前記小形となった前記芳香性粒子を受け、かつ、周壁に芳香排出口を備えた前記芳香性粒子の受け体とからなることを特徴とする芳香発生具を提供する。【０００６】  上記構成によれば、収納体内から落下口、上方開口を介して保持体内に至った芳香性粒子から芳香発生し、その芳香が保持体、受け体それぞれの芳香排出開口を通して外部に至る。芳香を十分に発生した芳香性粒子は小形となって排出口を通して受け体内に排出される。保持体内からの芳香性粒子の排出に伴って新たな芳香性粒子が保持体内に供給され、この動作が繰り返されることにより、一定量の芳香発生が継続して行われる。とくに、収納体の落下口を保持体の上方開口に相対する構成として保持体内に収納体下部が入り込まないことで、保持体内に所望量の芳香を発生する芳香性粒子を収納するに十分なスペースが確保され、これにより、所望量の芳香の発生が継続して行われて良好な芳香発生性能が発揮される。【０００７】  この発明の芳香発生具は、例えば、芳香発生粒子として消臭成分や脱臭成分を併せ持つものを使用することで消臭芳香発生具、脱臭芳香発生具として用いることが可能となる。【０００８】  上記構成において、保持体の上方開口の周縁部と収納体の落下口の周縁部との間に芳香性粒子の位置決め体を備える構成とすることで、芳香発生具が倒れた場合にその位置決め体により保持体内から芳香発生粒子が転がり出ることが防がれる。また、上記構成において、受け体に芳香性粒子の排出口内中央にその周囲に排出隙間を残すように下方から突出して位置する突出部を備える構成とすることで、周囲の排出隙間から落下することで芳香性粒子は受け体内に分散落下し、これにより受け体内の一部に芳香性粒子が偏って位置することが防がれ、芳香性粒子の受け体内への落下がスムーズになされる。また、上記構成において、受け体の芳香排出口が周壁の下端より所定高さ以上の位置に設けられる構成とすることで、継続使用されることでポリマーよりなる芳香発生粒子から若干の水分が発生してこれが受け体内に至った場合にも、芳香排出口から外部に水が流れ出すことが回避される。
【発明の効果】
【０００９】  この発明によれば、芳香性粒子からの芳香発生が無駄なく、かつ、所望量継続して行われる芳香発生性能に優れる芳香発生具が得られる。
【図面の簡単な説明】
【００１０】
【図１】  この発明の芳香発生具の実施形態の外観斜視図
【図２】  この発明の芳香発生具の実施形態の内部構成を示す断面図
【図３】  この発明の芳香発生具において用いる保持体及び位置決め体の斜視図
【発明を実施するための形態】
【００１１】  図１はこの発明の芳香発生具の実施形態の外観斜視図、図２は内部構成を示す断面図である。芳香発生具１はプラスチック製でビン形態の芳香性粒子Ｒの収納体５と、その下部に配置されるプラスチック製でロート形態の芳香性粒子Ｒの保持体１３と、保持体１３を内部に納めるプラスチック製の芳香性粒子Ｒの受け体１７とからなる。
【００１２】  収納体１は小径となった下端に芳香性粒子Ｒの落下口３を備え、内部に芳香性粒子Ｒが納められ落下口３がキャップで閉じられた状態において製品として提供される。
【００１３】  保持体１３は上方開口７を備えるとともに、図３に示すように、周壁６に複数段に芳香排出口９を備え、さらに、その環状の上縁部１０には複数個の芳香通過穴１２を備えている。また、下端の小形となった部分には芳香性粒子Ｒの排出口１１を備え、さらに、周壁６の外面の４か所には脚体１４が一体に設けられている。２２は開口２３を備えた環状の芳香性粒子Ｒの位置決め体である。
【００１４】  受け体１７は保持体１３の収納空間１８を備え、その周壁１６には複数段に芳香排出口１５が設けられている。また、その底部２０中央には上方への突出部２２が設けられている。
【００１５】  次に、芳香発生具１の組み立て構成を説明する。保持体１３は、その脚体１４のそれぞれにおいて底部２０上に立設され、かつ、上縁部１０の周縁が周壁１６の内面途中高さに嵌合係止されることで受け体１７内に固定状態に設けられる。その際には、保持体１３下部の排出口１１の中央に、その周囲に排出隙間２５を残すように下方から突出部２７が突出するように位置する。このように取り付けられた保持体１３の上方開口７にその周縁が嵌合されることで位置決め体２２が装着される。
【００１６】  上記のように保持体１３及び位置決め体２２が取り付けられた受け体１７の上方から、落下口３設けられた小径の部分が差し入れられて収納体５が取り付けられ、その周壁２６の下部縁に受け体１７の周壁１６の上部縁が嵌合係止されることで一体に固定される。
【００１７】  次に、上記芳香発生具１の使用について説明する。収納体５は落下口３を開いた状態として受け体１７上に取り付けられる。この取り付けた状態において、収納体５内の下部に位置する芳香性粒子Ｒは落下口３から落下することで位置決め体２２の開口２３を通して保持体１３内に保持される。この状態において、保持体１３内の芳香性粒子Ｒから発生される芳香が保持体１３及び受け体１７の排出用開口９、１５を通して外部に発せられる。この芳香性粒子Ｒからの芳香の発生は、排出用開口１５、９それぞれを通して保持体１３内に至る外気に芳香性粒子Ｒがさらされることで促進されるもので、したがって、外気にさらされない収納体５内の芳香性粒子Ｒからはほとんど芳香が発せられることはない。このように、保持体１３内に保持される所定量の芳香性粒子Ｒから芳香が発生されることでその芳香発生が一定の所望量に制御される。受け体１７の周壁１６の芳香排出口１５は保持体１３の上縁部１０の芳香通過穴１２を介して保持体１３の芳香排出口１２に連通し、また、位置決め体２２の開口２３の内縁隙間を介して保持体１３内空間と連通する。
【００１８】  保持体１３内の芳香発生粒子Ｒは芳香を発生することで経時的に縮小して小径となり、その小径となったものは保持体１３がロート形態となっていることで下方の排出口１１に至り、その排出口１１から受け体１７内に落下する。その際、排出口１１は中央に突出部２７が突出していてその周囲の排出隙間２５から芳香性粒子Ｒが落下することで、芳香性粒子Ｒは受け体１７内に分散落下し、これにより受け体１７内の一部に芳香性粒子Ｒが偏って位置することが防がれ、芳香性粒子Ｒの受け体１７内への落下がスムーズになされる。とくに、突出部２７の基部の周囲が傾斜曲面となっていることで、芳香性粒子Ｒはそれを案内として受け体１７内に広く分散配置される。
【００１９】  使用に伴って上記のように保持体１３の芳香性粒子Ｒが小さくなって徐々に排出口１１から受け体１７に排出されるのに伴って保持体１３内スペースに余裕が生じることで、収納体５内の新たな芳香性粒Ｒが保持体１３内に下降して侵入し、このようにして、収納体５内の芳香性粒子Ｒが保持体１３内に順次至り、そこで芳香を発して小径となったものが受け体１７内に排出される。このようにして、一定量の芳香発生が継続される。
【００２０】  使用に際し芳香発生具１が倒れた場合には、位置決め体２２により保持体１３内から芳香発生粒子Ｒが転がり出ることが回避される。また、ポリマーよりなる芳香発生粒子Ｒから若干の水分が発生してこれが受け体１７内に至るが、芳香排出口１５の最下部が受け体１７の下端から略２ｃｍの高さに位置することで、芳香排出口１５から外部に水が流れ出すことが回避される。
【符号の説明】
【００２１】１  芳香発生具
３  落下口
５  収納体
６  周壁
９  芳香排出口
１１  排出口
１３  保持体
１５  芳香排出口
１６  周壁
１７  受け体
Ｒ  芳香性粒子
【図１】
2012085993.tif 000003
【図２】
2012085993.tif 000004
【図３】
2012085993.tif 000005